(57)【要約】【課題】イヤホンのケーブルを、耳掛け式として耳の上側から裏側に回し掛けて耳に装着する際に、ケーブルが耳から外れ易くなる状況を改善して、快適に使用できるイヤホンを提案する。【解決手段】イヤホンのハウジングにケーブルの掛け止め部を設けることで、耳掛け式で耳に回し掛けたケーブルが耳から外れてしまうことを防止し、良好な装着感を実現するものである。【選択図】図１
2016072946.tif 000002
【特許請求の範囲】
【請求項１】
ドライバーユニットを内部に設けたハウジング（３）の先端側にイヤピース（４）が被着され、ハウジングの末端側に設けたケーブル導出部（７）からケーブル（６）が伸び出ているイヤホンであって、前記ハウジング（３）の末端側には、ケーブル導出部（７）から伸び出たケーブル（６）を保持する掛け止め部（５）が少なくともひとつ設けられていることを特徴とするイヤホン。
【請求項２】
掛け止め部（５）は弾性を有する材料で構成されている、請求項１に記載のイヤホン。
【発明の詳細な説明】
【発明の詳細な説明】
【技術分野】
【０００１】本発明は、耳への装着状態を選択的に使い分けることが出来るイヤホンに関するものである。
【背景技術】
【０００２】イヤホンを耳に装着して音楽等を聞く際には、イヤホンの音導管の先端に設けたイヤピースを外耳道に挿入すると共に、ドライバーユニットを内蔵したハウジングを耳珠と対珠にて保持させて使用する。また、ハウジングの末端からは、音声信号が通るケーブルが導出されている。【０００３】一般的にケーブルは、ハウジングの末端から下方に自然に落とす様にして使用されるが、密閉性の高いカナル型のイヤホンの場合、その遮音性の高さから、ケーブルを下方に落として使用していると、ケーブルが体の一部や服に触れた時に、その摩擦音や振動音を拾ってしまう、いわゆるタッチノイズと呼ばれる雑音が発生することが有った。【０００４】そこで、このタッチノイズの対策として、ケーブルを体の一部や服に触れにくくするために、ハウジングとイヤピースを耳に装着した後、ハウジング末端から伸び出ているケーブルを下方に垂らすのではなく、耳の上側から耳の裏側へと回す様にして掛けることも行われている。
こうして、ケーブルを耳の上側、裏側に接触させておくことにより、ケーブルに発生したタッチノイズの振動を、イヤホンのハウジングまで伝えない様にして、タッチノイズを軽減させることが可能となる。【０００５】しかし、耳掛け式でケーブルを耳の上側、裏側に回して装着した場合、ケーブルはその内部の金属線とそれを外装している樹脂製の被覆に或る程度の弾力を有しており、また、ケーブル自体の自重も加わることから、イヤホンを装着している使用者に加わる振動や、何らかの動作をした拍子に耳に掛けたケーブルは常に耳から外れやすい状況となっている。【０００６】一方、イヤホンを従来通りのケーブル下垂状態で装着する場合であっても、イヤホンのケーブルが有する弾力の影響によって、ケーブルは耳に装着したハウジングから立ち上がる方向へと伸び出ていることから、不意に耳から外れ易く、安定した装着感が得られにくい状況ともなっている。【０００７】そこで、予め耳へのイヤホンの装着状態を、必要に応じて下垂状態と耳掛け式とに容易に使い分け可能とすることを目的として、回転自在の構成としたブッシングをイヤホンに設けることが提案されている。
【先行技術文献】
【特許文献】
【０００８】
【特許文献１】特開２０１０−８１３０６号公報
【発明の概要】
【発明が解決しようとする課題】
【０００９】この発明においては、回転自在の構成としたブッシングを設けたことによって、ケーブル下垂状態と耳掛け式の各々の方向にケーブルの向きを容易に変更することが可能とはなっているが、耳掛け式で耳の上側から裏側へと回したケーブルが、その自重やケーブルの弾力の影響によって、耳から外れやすくなる状況と、イヤホンをケーブル下垂状態で装着する場合の、イヤホンのケーブルが有する弾力の影響によって、ケーブルが耳に装着したハウジングから立ち上がる方向へと伸び出る状況となり、安定した装着感が得られにくいという点に対しては、更に改善の余地が有った。【００１０】そこで本発明においては、耳掛け式でイヤホンを耳に装着した際に、耳の上側から裏側に回し掛けたケーブルが、耳から外れ易くなってしまうことと、イヤホンをケーブル下垂状態で装着した場合の、ハウジングからケーブルが立ち上がる現象とを防止し、快適な装着感が得られるイヤホンを提案するものである。
【課題を解決するための手段】
【００１１】耳掛け式でイヤホンを耳に装着した際に、ケーブルが耳から外れてしまうことと、イヤホンをケーブル下垂状態で装着した場合の、ハウジングからケーブルが立ち上がる現象を抑える方法として、イヤホン本体にケーブルの掛け止め部を設けることを特徴とする。
【発明の効果】
【００１２】この発明によれば、イヤホン本体にケーブルの掛け止め部を設けているため、使用者はイヤホンを耳掛け式で使用した場合に、ケーブルが耳から抜け落ちることを確実に防止出来、イヤホンをケーブル下垂状態で装着した場合には、ハウジングからケーブルが立ち上がる現象を抑えて快適に使用することができる。
【発明を実施するための形態】
【００１３】以下、本発明に係るイヤホンの各種実施例について図面を参照しながら説明する。
【実施例】
【００１４】図１において、１はイヤホンである。このイヤホン１は平板状に構成されたベース２と、このベース２の先端側に設けた中空状のハウジング３と、このハウジング３の先端に音導管を通じて被着された弾性材料から成るイヤピース４と、ハウジング３の末端側に設けられたケーブルの掛け止め部５とから構成されている。また、６は音声信号を通すケーブル。７はケーブル導出部である。【００１５】ベース２の先端側に設けられたハウジング３は、その内部が中空に形成されると共に、その先端側に突出した音導管とその先端に被着された軟質の弾性材料からなるイヤピース４から構成されている。
また、ハウジング３の内部の空間にはドライバーユニット（図示しない）が内蔵されている。このドライバーユニットには音声信号を通すケーブル６が接続されており、このケーブル６はハウジング３の末端側に設けられたケーブル導出部７を通って、ハウジング３の外部へと伸びている。また、ベース２の末端側にはケーブル６の掛け止め部５が設けられている。【００１６】図２、図３は本発明のイヤホンに係る左側面図である。この図で示す様に、掛け止め部５は、ベース２の末端側に立設された脚部５ａと、ケーブル導出部７の左右両側に亘って対称となる様に突設させた一対の掛け止め突起５ｂ、５ｂとから構成されている。この掛け止め突起５ｂ、５ｂがハウジング２から突出して設けられているため、ハウジング２との間には間隙部５ｃが構成され、この間隙部５ｃにケーブル６を挟み込むことが出来る様になっている。【００１７】使用者は、イヤホン１をケーブル下垂状態で耳に装着するか、耳掛け式で耳に装着するかを選択した後、それに応じた方向の間隙部５ｃにケーブル６を挟み込んで固定して使用する。
特に耳掛け式を選択した場合、イヤホンを装着している使用者に加わる振動や、何らかの動作をした場合でも、耳の上側から裏側へと掛け回したケーブル６は、掛け止め部５とハウジング３との間の間隙部５ｃに確実に保持され、耳の上側から裏側へとケーブル６を回し掛ける方向に向いているので、耳から容易に外れることは無く、快適な装着感が得られ、ひいてはタッチノイズの発生を抑えることが出来る。【００１８】一方、イヤホン１をケーブル下垂状態で装着する場合であっても、ケーブル６を掛け止め部５とハウジング３との間に構成された間隙部５ｃに挟持させることによって、イヤホン１のケーブル６が有する弾力から生じる、ハウジング２からケーブル６が立ち上がる方向へと伸び出る状況を抑えてケーブル６を確実に下方に向けることが可能となるため、快適にイヤホンを装着できる効果が得られる。【００１９】尚、この掛け止め部５は、ゴムや弾性を有するエラストマーなどの樹脂材料を用いて構成すると、ケーブル６を挟み込んだ時にケーブル６を痛めることなく、また、確実に挟持することが出来るので好ましいが、図４に示す様に、ハウジングの一部にＶ字形の切込みを一体成型するなどして、その切込みにケーブルを挟持させる。といった簡単な構造としても差し支え無い。【００２０】また、掛け止め部は、耳掛け式とケーブル下垂状態のどちらにも対応できる様に、一対の掛け止め突起５ｂ、５ｃとを備えるものとして説明したが、耳掛け式に対応する側か、ケーブル下垂状態に対応する側かのどちらか一方だけに対応する様、少なくともひとつの掛け止め部を設ける構成としても良い。
【産業上の利用可能性】
【００２１】本発明に係るイヤホンは、イヤホンのハウジングにケーブルの掛け止め部を設けたことによって、ケーブルへのタッチノイズが生じやすいカナル型のイヤホンのケーブルを耳掛け式に装着する場合において、ケーブルを耳の上側、裏側に回し掛ける方向へと確実に保持することが可能となり、ケーブルが不意に耳から外れることを防止して、快適な装着感が得られ、ひいてはタッチノイズの発生防止に特に顕著な効果を有しており、また、イヤホンをケーブル下垂状態で装着する場合であっても、弾力を有するケーブルを下方に確実に向けることが可能となるため、イヤホンのハウジングからケーブルが立ち上がる現象を抑えて、快適にイヤホンを装着できるという効果が得られるので、カナル式以外のイヤホンであっても適用可能である。
【符号の説明】
【００２２】  １  イヤホン
２  ベース
３  ハウジング
４  イヤピース
５  掛け止め部
５ａ  脚部
５ｂ  掛け止め突起
５ｃ  間隙部
６  ケーブル
７  ケーブル導出部
８  掛け止め突起
【図面の簡単な説明】
【００２３】
【図１】本発明に係るイヤホンの実施例を示す外観斜視図である。
【図２】掛け止め部を示す左側面図である。
【図３】掛け止め部にケーブルを挟持した状態を示す左側面図である。
【図４】掛け止め部のその他の実施例を示す斜視図である。
【図１】
2016072946.tif 000003
【図２】
2016072946.tif 000004
【図３】
2016072946.tif 000005
【図４】
2016072946.tif 000006